(57)【要約】【課題】刃体先端の刃先の密着度アップと、刃体側縁の刃部の密着度アップとの選択操作が容易に行えるようにした理髪用鋏の枢軸構造を提供する。【解決手段】第１の刃体２と第２の刃体４を軸着する枢軸５が断面円形の第１の軸部５ｂと断面正方形の第２の軸部５ｃを有し、第１の刃体２が第１の軸部５ｂに転がり軸受５を介して回転自在に軸支される。第２の刃体４は円形の凹所７を形成すると共に、該凹所７内に開口する断面正方形の軸孔１３を有し、軸孔１３に枢軸５の第２の軸部５ｃを通すことにより枢軸５と回転方向に一体化される。凹所７には断面正方形の軸孔１３と、該軸孔１３の一辺に沿う突部１２を形成した円形のカラー９が装着され、第２の軸部５ｃへ差し込む向きを９０°変えることにより突部１２で第２の刃体４が押し上げられ、刃先又は刃部が第１の刃体の刃先又は刃部に押付けられるようにする。【選択図】図２
2009089784.tif 000002
【特許請求の範囲】
【請求項１】
指環部を備えた第１の刃体と、第２の刃体を交差させて枢軸により開閉可能に軸着した理髪用鋏の上記枢軸を含む枢軸構造であって、上記枢軸が頭部と、断面円形の第１の軸部と、断面が正多角形の第２の軸部と、先端のネジ部よりなり、第１の刃体が上記第１の軸部に通される断面円形の軸孔を有して、第１の軸部に回転自在に軸支されると共に、第２の刃体が上記第２の軸部に通される断面が正多角形の軸孔を有して第２の軸部に回転不可に取付けられ、また上記第１及び第２の刃体のうち、いずれか一方、又は双方に凹所が形成されて、該凹所に第２の軸部に回転不可に嵌挿されるカラーが装着され、該カラーには、円周上の一部に第１及び第２の刃体のうちの一方の刃体に係合して該刃体を上記枢軸の軸方向に突き上げる突部を有し、第２の刃体の軸孔を通して突出する上記ネジ部にはナットが捩じ込まれることを特徴とする理髪用鋏の枢軸構造。
【請求項２】
上記カラーが第１の軸部に回転自在に装着される筒部を有し、第１の刃体の軸孔内には、上記筒部に外嵌する転がり軸受けが装着されることを特徴とする請求項１記載の理髪用鋏の枢軸構造。
【発明の詳細な説明】
【技術分野】
【０００１】
本発明は、理髪用鋏の枢軸構造に関する。
【背景技術】
【０００２】
理髪用鋏に求められる技術的課題の一つに、切れ味の向上がある。下記特許文献１には、一対の刃体を軸着する枢軸の刃体からの突出部分に板バネ体を介して緊締ナットを捩じ込み、板ばね体は十字形をなして一方の腕に緊締ナットで押えられる上向き突部を、逆向きに延びる他方の腕に刃体の止着穴に差し込まれる差込部を形成し、緊締ナットの締め込みによるバネ圧が枢軸よりも刃先側の刃体に作用し、先端の刃先を密着させて切れ味を向上させるようにした理髪用鋏が開示されている。
【特許文献１】特開平９−２８５６５６号
【発明の開示】
【発明が解決しようとする課題】
【０００３】
鋏の切れ味は、刃体先端の刃先同士の密着度を高めるほか、刃体側縁の刃部同士の密着度を高めることによっても向上する。
【０００４】
本発明は、鋏の切れ味を向上させるために刃体先端の刃先の密着度アップと、刃体側縁の刃部の密着度アップとの選択操作が容易に行えるようにした理髪用鋏の枢軸構造を提供することを目的とする。
【課題を解決するための手段】
【０００５】
請求項１に係る発明は、指環部を備えた第１の刃体と、第２の刃体を交差させて枢軸により開閉可能に軸着した理髪用鋏の上記枢軸を含む枢軸構造であって、上記枢軸が頭部と、断面円形の第１の軸部と、断面が正多角形の第２の軸部と、先端のネジ部よりなり、第１の刃体が上記第１の軸部に通される断面円形の軸孔を有して、第１の軸部に回転自在に軸支されると共に、第２の刃体が上記第２の軸部に通される断面が正多角形の軸孔を有して第２の軸部に回転不可に取付けられ、また上記第１及び第２の刃体のうち、いずれか一方、又は双方に凹所が形成されて、該凹所に第２の軸部に回転不可に嵌挿されるカラーが装着され、該カラーには、円周上の一部に第１及び第２の刃体のうちの一方の刃体に係合して該刃体を上記枢軸の軸方向に突き上げる突部を有し、第２の刃体の軸孔を通して突出する上記ネジ部にはナットが捩じ込まれることを特徴とする。
【０００６】
請求項２に係る発明は、請求項１に係る発明のカラーが第１の軸部に回転自在に装着される筒部を有し、第１の刃体の軸孔内には、上記筒部に外嵌する転がり軸受けが装着されることを特徴とする。
【発明の効果】
【０００７】
請求項１に係る発明によると、カラーの突部を指環側に位置させて第２の刃体を枢軸を支点として突き上げるようにすれば、第２の刃体の刃先が第１の刃体の刃先に密着して刃先同士が押付けられ密着するようになり、カラーを第２の軸部に対し、向きを９０°変えて差し換え、突部を刃部と反対側の向きに位置させれば、刃部同士が押付けられて密着するようになり切れ味が向上する。またカラーを第２の軸部に対し、向きを例えば４５°変えて差し換えれば、刃体の刃先同士及び刃部同士が互いに押付けられて密着し、切れ味が向上する。本発明によると以上のように、カラーの向きを差し換えることにより刃体の刃先同士、刃部同士又は刃先と刃部の両者の押付力を高めた切れ味の選択操作を容易に行うことができる。
【０００８】
請求項２に係る発明によると、第１の刃体が転がり軸受けを介して枢軸に軸支されることにより第１の刃体の開閉操作が円滑に行えるようになる。
【発明を実施するための最良の形態】
【０００９】
図１は、指環部１を備えた第１の刃体２と、指環部３を備えた第２の刃体４を交差させて交差部において枢軸５により軸着した理髪用鋏６について示すものであり、図２は図１のＡ−Ａ線における枢軸構造の断面を示すもので、枢軸５である段付軸は、頭部５ａと、断面円形の第１の軸部５ｂと、該軸部５ｂと同一径をなす円に内接し、軸部５ｂに接続される断面正方形の第２の軸部５ｃと、該軸部５ｃに接続されるネジ部５ｄよりなっている。
【００１０】
第２の刃体４には、第１の刃体２に面して断面正方形の凹所７が形成されると共に、該凹所７内に開口し、上記第２の軸部５ｃと同一断面をなす断面正方形の軸孔８が形成され、第２の軸部５ｃが軸孔８に嵌挿されることにより第２の刃体４と枢軸５が回転方向に一体となっている。
【００１１】
凹所７には、上記凹所７と同一断面をなす断面正方形のカラー９が装着され、該カラー９は第２の刃体４と回転方向に一体をなし、枢軸５が第２の刃体４と回転方向に一体をなすことにより枢軸５とも回転方向に一体をなしている。つまり枢軸５と第２の刃体４とカラー９は共に回転方向に一体となっている。カラー９にはまた図３に示すように、正方形の一辺に沿って第２の刃体４に係合し、該第２の刃体４を枢軸方向に突き上げる突部１２を備えている。
【００１２】
カラー９は第１の軸部５ｂに嵌挿する筒部９ａを一体形成してフランジ管状をなし、第１の刃体２の軸孔１３内に上記筒部９ａに外嵌する転がり軸受１４が装着され、該転がり軸受１４のインナーレース１４ａは、アウターレース１４ｂより軸方向に僅かに突出してカラー９に係合している。図中１４ｃはボールであり、１５は第２の刃体４より突出する枢軸５のネジ部５ｄに捩じ込まれるナットである。
【００１３】
本実施形態の枢軸構造によると、ナット１５で押え付けられた第２の刃体４は枢軸５より指環部側で突部１２により突き上げられるため、刃先側に若干傾斜して刃先４ａが第１の刃体２の刃先２ａに押付けられ、刃先同士を密着させる。刃部同士を密着させたいときには、ナット１５を弛めて外し、第２の刃体４、ついでカラー９を枢軸５より一旦取外したのち、カラー９の向きを９０°変えて枢軸５に差し込み、ついで第２の刃体４を突部１２が刃幅方向の刃体４に係合するように位置決めして枢軸５の第２の軸部５ｃに差し込むか、或いはカラー９の突部１２の向きを９０°変えて第２の刃体４の凹所７に装着し、突部１２を図３の一点鎖線位置に切換えた状態で第２の刃体４を枢軸５の第２の軸部５ｃに差し込み、ナット１５をネジ部５ｄに捩じ込む。すると、ナット１５で押えられ、突部１２により突き上げられた第２の刃体４は若干傾斜して、刃部４ｂが第１の刃体２の刃部２ａに押し付けられ、刃部同士を密着させる。
【００１４】
刃体２、４に形成される軸孔８、１３は、刃体２、４の強度を損ないがちであるため、あまり大きくはできないが、凹所７は大径に形成しても深く形成しない限り刃体４の強度が損なわれることがない。そのためカラー９は刃体４の強度を考慮することなく、刃体４の刃幅近くまで大径にして突部１２を枢軸５より離れた位置に形成することができ、枢軸５を支点とすると、支点と力点間の距離が増加することにより梃子の作用で作用点である刃先又は刃部に大きな力が作用し、刃先又は刃部同士の密着度を高め、切れ味を向上させることができる。
【００１５】
第１の刃体２は、転がり軸受１４により枢軸５と一体をなすカラー５の筒部９ａに軸支され、円滑な開閉を可能にする。転がり軸受け１４については、インナーレース１４ａがカラー９により押え付けられ、カラー９と一体化されることにより、第１の刃体２がアウターレース１４ｂと共にインナーレース１４ａの周りを回転するようになる。
【００１６】
本実施形態の枢軸構造では、第２の刃体４の凹所７とカラー９とが共に断面正方形をなしているが、凹所７とカラー９を正方形以外の正多角形に形成してもよい。図４に示す実施形態では、カラー９が正八角形に形成され、その一辺に沿って突部１２が形成される。
【００１７】
本実施形態によると、カラー９の枢軸５への差し込みの向きを突部１２が指環側に向く位置より時計方向に４５°変え、突部１２の位置を図の一点鎖線で示す位置に切換えると、第２の刃体４の刃先４ａ及び刃部４ｂが第１の刃体２の刃先２ａ及び刃部２ｂに共に押付けられ密着するようになる。
【００１８】
本実施形態の枢軸構造ではまた、第２の刃体４の凹所７とカラー９とが上述するように断面正方形をなしているが、図５に示す実施形態では、凹所７とカラー１７が断面円形に形成され（断面円形に形成される凹所７は図示省略してある）、カラー１７には枢軸５の第２の枢軸５ｃと同一断面をなす断面正方形の孔１８が形成され、筒部１７ａの軸孔１１が上記孔１８に外接する径をなしている。図中、１９は正方形の孔１８の一辺に対応する周縁に形成され、前記突部１２に相当する突部である。
【００１９】
本実施形態のカラー１７は筒部１７ａを枢軸５の第１の軸部５ｂに、上記孔１８を第２の軸部５ｃに嵌挿させて装着され、枢軸５に対し回転不可とされる。カラー装着後、第２の刃体４を孔８に第２の軸部５ｃを嵌挿して装着したのち、ナット１５による締め込みが行われる。
【００２０】
上記実施形態ではまた、凹所７は第２の刃体４に形成されているが、別の実施形態では凹所７が第１の刃体２に形成されるか、又は第１の刃体２と第２の刃体４の対応する箇所の双方に形成され、カラー９が第１の刃体２の凹所７、又は第１及び第２の刃体２及び４の両者に形成される凹所７にまたがって装着される。カラー９が第１の刃体２に形成される凹所７に装着される場合、該凹所７には回転不可に装着される。この場合、カラー９より突出形成される突部１２は第１の刃体２に係合して該刃体２を突き上げるようにされる。
【図面の簡単な説明】
【００２１】
【図１】理髪用鋏の平面図。
【図２】図１のＡ−Ａ線拡大断面図。
【図３】カラーの拡大平面図。
【図４】カラーの別の態様の拡大平面図。
【図５】カラーの更に別の態様の拡大平面図。
【符号の説明】
【００２２】
１、３・・指環部
２・・第１の刃体
２ａ、４ａ・・刃先
２ｂ、４ｂ・・刃部
４・・第２の刃体
５・・枢軸
５ａ・・頭部
５ｂ・・第１の軸部
５ｃ・・第２の軸部
５ｄ・・ネジ部
７・・凹所
８、１１、１３・・軸孔
９、１７・・カラー
９ａ、１７ａ・・筒部
１２、１９・・突部
１４・・転がり軸受
１４ａ・・インナーレース
１４ｂ・・アウターレース
１４ｃ・・ボール
１５・・ナット
１８・・正方形の孔
【図１】
2009089784.tif 000003
【図２】
2009089784.tif 000004
【図３】
2009089784.tif 000005
【図４】
2009089784.tif 000006
【図５】
2009089784.tif 000007